(57)【特許請求の範囲】
【請求項１】
塵埃を掻き上げ、その掻き上げられた前記塵埃を吸い上げて清掃する人工芝生清掃車であって、
車輌本体の下部に回転可能に設けられるブラシ部材と、
このブラシ部材を覆うブラシケースと、
前記ブラシ部材の回転により掻き上げられた前記塵埃を吸い上げる気流を発生させる送風部と、
この送風部を覆う送風部ケースとを備え、
前記ブラシケースは、中空状に形成され、前記ブラシ部材により掻き上げられた前記塵埃を内部へ導入する入口と、導入された前記塵埃を外部へ導出する出口とを有し、
前記送風部ケースは、中空状に形成され、前記出口からの前記塵埃を内部へ導入する吸込口と、導入された前記塵埃を外部へ導出する吐出口とを有しており、
前記送風部ケースの壁面には外気の取込穴が形成される一方、前記ブラシケースの壁面には前記取込穴が形成されておらず、
前記ブラシ部材は、前記ブラシケースに軸受される軸部材と、この軸部材の軸線と交差する方向へ延出して前記軸部材に設けられるブラシと、前記軸部材の軸線と交差する方向へ延出しつつ前記軸部材の軸線方向へ沿って前記軸部材に設けられる板状の羽根とを有し、且つ前記軸部材から前記ブラシの先端までの長さが、前記軸部材から前記羽根の先端までの長さより長い、
ことを特徴とする人工芝生清掃車。
【請求項２】
前記入口は、下方へ開口して形成されており、
前記ブラシケースには、前記入口の周囲に、前記ブラシケースと被清掃体との間の隙間を小さくするよう下方へ突出してカバー部材が設けられる、
ことを特徴とする請求項１に記載の人工芝生清掃車。
【発明の詳細な説明】
【技術分野】
【０００１】
本発明は、人工芝生上を走行しつつ、その人工芝生を清掃することができる人工芝生清掃車に関するものである。
【背景技術】
【０００２】
従来、下記特許文献１に開示されるように、回転ブラシにて地面上の刈芝やゴミを掻き上げ、掻き上げられた刈芝やゴミをブロワにて吸い上げて集草容器に回収することができるスイーパが知られている。
【先行技術文献】
【特許文献】
【０００３】
【特許文献１】特開平６−３１６９１０号公報
【発明の概要】
【発明が解決しようとする課題】
【０００４】
しかしながら、従来のスイーパは、本来回収すべき回収物と回収してはいけない物とを区別する点について全く考慮されていない。具体的には、従来のスイーパでは、清掃対象が人工芝生の場合、回収すべき落葉や刈芝などの塵埃と共に、人工芝生においてクッションの役割を果たすゴムチップも回収されてしまっていた。そのため、回収されたゴムチップの量によっては、清掃後、人工芝生上にゴムチップを撒かなければならない手数を要している。
【０００５】
また、下面がメッシュ状に形成された容器内に、ゴミなどと共にゴムチップを回収し、塵埃やゴムチップが収容された前記容器を振動させることで、ゴムチップを人工芝生上に戻すことができるスイーパが知られている。しかしながら、このスイーパは、容器を振動させる機構が必要とされ、スイーパの全体構造が複雑となり、製造コストが高くなるものであった。
【０００６】
本発明は、このような問題に鑑みてなされたものであり、その主たる目的は、簡易な構成で、人工芝生においてクッションの役割を果たすゴムチップを回収することなく、塵埃などのみを回収することができる人工芝生清掃車を提供することにある。
【課題を解決するための手段】
【０００７】
上記目的を達成するための本発明に係る人工芝生清掃車は、塵埃を掻き上げ、その掻き上げられた前記塵埃を吸い上げて清掃する人工芝生清掃車であって、車輌本体の下部に回転可能に設けられるブラシ部材と、このブラシ部材を覆うブラシケースと、前記ブラシ部材の回転により掻き上げられた前記塵埃を吸い上げる気流を発生させる送風部と、この送風部を覆う送風部ケースとを備え、前記ブラシケースは、中空状に形成され、前記ブラシ部材により掻き上げられた前記塵埃を内部へ導入する入口と、導入された前記塵埃を外部へ導出する出口とを有し、前記送風部ケースは、中空状に形成され、前記出口からの前記塵埃を内部へ導入する吸込口と、導入された前記塵埃を外部へ導出する吐出口とを有しており、前記送風部ケースの壁面には外気の取込穴が形成される一方、前記ブラシケースの壁面には前記取込穴が形成されておらず、前記ブラシ部材は、前記ブラシケースに軸受される軸部材と、この軸部材の軸線と交差する方向へ延出して前記軸部材に設けられるブラシと、前記軸部材の軸線と交差する方向へ延出しつつ前記軸部材の軸線方向へ沿って前記軸部材に設けられる板状の羽根とを有し、且つ前記軸部材から前記ブラシの先端までの長さが、前記軸部材から前記羽根の先端までの長さより長い、ことを特徴とする。
【０００８】
また、本発明に係る人工芝生清掃車のブラシケースは、前記入口が、下方へ開口して形成されており、該入口の周囲に、前記ブラシケースと被清掃体である人工芝生面との間の隙間を小さくするよう下方へ突出してカバー部材が設けられることを特徴とする。
【発明の効果】
【００１１】
本発明に係る人工芝生清掃車によれば、回収される塵埃の流路であるブラシケースおよび送風部ケースにおいて、ブラシケースの壁面には外気を取り込むための取込穴が形成されていないため、回収時においてブラシケース内の静圧を増加させることができる。これにより、比較的重量の軽い芝カスなどのゴミは、送風部側へ運ばれるが、比較的重量の重いゴムチップは舞い上がらず、送風部側へ運ばれることがなく、清掃することができる。一方、送風部ケースの壁面には、外気を取り込むための取込穴が形成されているため、回収時において送風部ケース内の動圧を増加させることができ、風量をより多くすることができ、送風部ケースから回収した芝カスなどのゴミを吐出させることができる。このように、本発明に係る人工芝生清掃車によれば、簡易な構成で、芝カスなどのゴミの円滑な掻き上げと吸い上げ、および送風部ケースからのゴミの吐出が良好に維持される点を満足しつつ、ゴムチップを回収することなく、被清掃体である人工芝生を清掃することができる。
【００１２】
また、本発明に係る人工芝生清掃車によれば、ブラシケースの下方へ開口した入口の周囲に、ブラシケースと被清掃体との隙間を小さくするカバー部材を設けることで、回収時において前記隙間からブラシケース内へ導入される外気を少なくすることができる。これにより、回収時におけるブラシケース内の静圧をより増加させることができる。従って、より確実に、ゴムチップを回収することなく清掃することができる。又、ブラシケースの入口近辺の開口部において、人工芝生面に凹凸面があっても、このカバー部材が柔軟に干渉するために、ブラシケースや人工芝生面を傷付けることがない。
【００１３】
さらに、本発明に係る人工芝生清掃車によれば、ブラシで人工芝生面上の塵埃をほうきで掃くようにして飛散させ、羽根で風量を増やし、より確実に芝カスなどの塵埃を舞い上げることができる。このとき、ブラシの長さの方が羽根の長さよりも長いので、羽根で人工芝生面を傷付けることがない。
【図面の簡単な説明】
【００１４】
【図１】本発明の人工芝生清掃車の一実施例を示す概略右側面図であり、一部を拡大して示している。
【図２】図１の人工芝生清掃車の主要部を示す概略右側面図であり、一部を断面にして示している。
【図３】図１の人工芝生清掃車の主要部を示す概略分解斜視図である。
【発明を実施するための形態】
【００１５】
以下、本発明の具体的実施例を図面に基づいて詳細に説明する。
【００１６】
図１は、本発明の人工芝生清掃車の一実施例を示す概略右側面図であり、主要部を拡大して示すと共に、その拡大図において一部を断面にして示している。図２および図３は、図１の人工芝生清掃車の主要部を示す図であり、図２は一部を断面にして示す概略右側面図、図３は後方から見た概略分解斜視図である。以下の説明では、本実施例の人工芝生清掃車１の前側が前方とされ、後側が後方とされる。すなわち、図１の紙面における左右方向が前後方向とされ、図１の紙面における垂直方向が左右方向とされる。
【００１７】
本実施例の人工芝生清掃車１は、車輌本体２の前方に設けられた運転席３に作業者が座ってハンドル４を握り、人工芝生５上を走行して清掃するものである。人工芝生清掃車１の車輌本体２の前方下部には、芝ほぐし装置６が上下動可能に設けられており、下方に移動させて作動しているこの芝ほぐし装置６で表面をほぐされて、塵埃が表面上に浮き出た状態で人工芝生５を清掃することができる。人工芝生清掃車１は、車輌本体２の下部に回転可能に設けられるブラシ部材７と、ブラシ部材７を覆うように設けられるブラシケース８と、ブラシケース８の上方に配置される送風手段９とを備える。
【００１８】
ブラシ部材７は、軸線が左右方向へ沿うようにして配置される軸部材１０と、軸部材１０に設けられるブラシ１１と、軸部材１０に設けられる羽根１２とを有している。本実施例では、軸部材１０は、軸線が左右方向へ沿って配置される丸棒状の軸部１３と、ブラシ１１や羽根１２の保持部１４とから構成される。保持部１４は、図２および図３に示されるように、略八角形の板状に形成され、板面が軸部１３の軸線と直交するように配置される。周囲に８面を有する保持部１４の１つおきの面、すなわち図２における上面、下面、前面および後面にはそれぞれ、内方へ凹んで段部１５が形成される。本実施例では、保持部１４は、３枚が左右方向へ互いに離隔して配置され、それらの板面を軸部１３が貫通した状態で、軸部１３に固定される。
【００１９】
ブラシ１１は、直毛状に形成されており、長方形の板状に形成された基材１６の幅方向略中央部に長手方向に配置される。本実施例の羽根１２は、長方形の板材が屈曲形成されたものであり、その縦断面は、柄が外方へ傾斜して延出した略柄杓形状に形成される。具体的には、羽根１２は、断面略凹形状の第１板部１７と、第１板部１７の一方の側壁上端部から外方へ傾斜して延出する第２板部１８とから構成される。
【００２０】
図２および図３に示されるように、羽根１２は、各保持部１４の周囲の８面のうちの上面、下面、前面および後面に形成された段部１５に、第１板部１７が軸部１３方向である左右方向へ沿って固定される。この際、第２板部１８が設けられる一方の側壁は、他方の側壁に対して、ブラシ部材７の回転方向（図１および図２の矢印Ａの方向）の前側に配置される。これにより、第２板部１８は、ブラシ部材７の回転方向の前側に傾斜して延出していることになる。また、直毛状のブラシ１１は、基材１６を介して羽根１２に固定される。具体的には、ブラシ１１が立設された基材１６が、第１板部１７の溝部１９に固定される。軸部材１０からブラシ１１の先端までの長さは、羽根１２の先端までの長さより長くして、人工芝生５面を傷付けないように清掃することができるようにしている。
【００２１】
このようにして、軸部材１０の軸線と交差する方向へ延出して軸部材１０にブラシ１１が設けられると共に、軸部材１０の軸線と交差する方向へ延出しつつ軸部材１０の軸線方向へ沿って軸部材１０に羽根１２が設けられて、ブラシ部材７が構成される。図２に示されるように、本実施例のブラシ部材７は、軸部１３まわりに回転可能とされており、その羽根１２の第２板部１８は、ブラシ１１に対して、ブラシ部材７の回転方向（図示例では時計方向）の前側に配置される。また、ブラシ１１は、軸部材１０の軸線と交差する方向へ、羽根１２よりも延出している。すなわち、ブラシ１１は、軸部１３の径方向において、羽根１２の第２板部１８よりも外方へ延出している。
【００２２】
ブラシケース８は、下方へ開口した矩形ボックス状に形成されており、その下方への開口部が入口２０とされ、上方に、導入された塵埃を外部へ導出する出口２１とを有している。出口２１は、長手方向が左右方向へ沿う長方形状に形成される。この出口２１は、幅広に形成されており、本実施例では、出口２１の前後幅がブラシケース８の中空部の前後幅の約１／４である。
【００２３】
図１に示されるように、ブラシケース８は、前後の車輪２２，２２間において、車輌本体２の下部に設けられる。この際、ブラシケース８は、入口２０が下方へ開口すると共に、出口２１が上方へ開口するように設けられる。なお、ブラシケース８には、その上下高さを調整することで、後述するように内部に配置されるブラシ部材７の上下高さを調整することができるブラシ高さ調整装置２３が設けられる。
【００２４】
ブラシケース８には、入口２０の周囲にカバー部材２４（２４ａ，２４ｂ，２４ｃ）が設けられる。本実施例では、ブラシケース８の前側の壁面、左側の壁面および右側の壁面の下端部に、長方形の板状に形成されたゴム製のカバー部材２４が設けられる。ブラシケース８の前側の壁面に設けられるカバー部材２４ａは、長手方向の長さがブラシケース８の前側の壁面の左右長さに対応している。このカバー部材２４ａは、長手方向が左右方向へ沿うようにして、ブラシケース８の前側の壁面の下端部に、ブラシケース８から下方へ突出するよう設けられる。また、ブラシケース８の左側の壁面に設けられるカバー部材２４ｂ、および右側の壁面に設けられるカバー部材２４ｃはそれぞれ、長手方向の長さが設けられる壁面の前後長さに対応している。両カバー部材２４ｂ，２４ｃは、長手方向が前後方向へ沿うようにして、各壁面の下端部に、ブラシケース８から下方へ突出するよう設けられる。この下方への突出長さは、ブラシ高さ調整装置２３の最大上下動の範囲内でよい。
【００２５】
送風手段９は、ブラシ部材７により掻き上げられた塵埃を吸い上げてタンク３６へ送る手段である。本実施例の送風手段９は、図１および図２に示すように、塵埃を吸い上げる気流を発生させる送風部２７と、送風部２７を覆う送風部ケース２８とを備える。送風部２７は、その構成を特に問わないが、本実施例では、軸２９の周方向等間隔四箇所に、板片３０が径方向外側へ延出しつつ軸線方向へ沿って設けられて構成される。送風部ケース２８は、中空状に形成されており、塵埃をブラシケース８の出口２１から内部へ導入する吸込口３１と、導入された塵埃をタンク３６へ導出する吐出口３２とを有している。
【００２６】
送風部ケース２８は、下方へ開口した矩形ボックス状に形成されており、その下方への開口部が前記吸込口３１とされ、上部には上方へ開口して吐出口３２が形成されている。送風部ケース２８には、その内部へ外気を取り込むための取込穴３３が貫通して形成される。取込穴３３は、略扇形状に形成されており、送風部ケース２８の左側の壁面の上部および右側の壁面の上部に、前後方向へ離隔して形成される。
【００２７】
図１に示されるように、送風部ケース２８は、吸込口３１が下方へ開口すると共に、吐出口３２が上方へ開口するようにして、車輌本体２の上部に設けられる。車輌本体２の上部には、左右方向へ離隔して板材３４，３４が立設され、この板材３４，３４間に送風部ケース２８が配置される。各板材３４には、複数のスリット３５が板面を貫通して形成されている。送風部ケース２８およびブラシケース８が車輌本体２に設けられた状態では、送風部ケース２８とブラシケース８とは、出口２１および吸込口３１を介して、互いに連通されている。
【００２８】
前述したブラシケース８に、ブラシ部材７を回転させるための駆動手段が設けられる。本実施例の駆動手段としては、図外の油圧モータが用いられ、ブラシケース８の右側の壁面に設けられている。油圧モータの出力軸には、ブラシ部材７の軸部１３の軸方向一端部（本実施例では軸部１３の右端部）が接続される。また、ブラシケース８には、軸受が設けられ、この軸受を介してブラシ部材７の軸部１３が回転可能に保持される。この際、図２に示されるように、ブラシ部材７は、その軸線が左右方向へ沿うようにして、ブラシケース８内に配置される。このようにして、ブラシケース８には、ブラシ部材７がその軸線まわりに回転可能に保持され、油圧モータにより、図２における時計方向へブラシ部材７を回転させることができる。
【００２９】
また、前述した送風部ケース２８内には、送風部２７が回転可能に設けられる。本実施例では、送風部ケース２８の右壁面に送風部２７の駆動手段である油圧モータが設けられ、この油圧モータの出力軸に、送風部２７の軸２９の軸方向一端部が接続される。送風部２７は、送風部ケース２８内において軸線が左右方向へ沿うよう配置され、軸受を介して送風部ケース２８に回転可能に保持される。このようにして、送風部２７は、送風部ケース２８内に、軸２９まわりに回転可能に保持され、油圧モータにより、図２における時計方向（図２の矢印Ｂの方向）へ回転可能とされている。この際、送風部ケース２８の取込穴３３は、送風部２７の軸２９よりも上方において、送風部ケース２８の左右の壁面に形成される。
【００３０】
次に、本実施例の人工芝生清掃車１の清掃動作について説明する。人工芝生清掃車１は、被清掃体である人工芝生５上を前方へ走行しつつ、人工芝生５を清掃することができる。人工芝生５の清掃は、ブラシケース８に覆われたブラシ部材７、および送風部ケース２８に覆われた送風部２７を回転させることでなされる。
【００３１】
油圧モータによりブラシ部材７を図１および図２における時計方向へ回転させることで、つまり、車輪２２とは逆方向へ回転させることにより、人工芝生５上の塵埃をブラシ部材７のブラシ１１により掻き上げることができる。掻き上げられた塵埃は、ブラシケース８に形成された入口２０を介してブラシケース８内部に導入された後、ブラシケース８に形成された出口２１を介して外部へ導出される。なお、ブラシ部材７のブラシ１１が下方へ垂直に延出した状態（図２の状態）において、ブラシ１１の先端部と最も長い人工芝生５の先端部とが約１０〜１５ｍｍ離れるように、ブラシ高さ調整装置２３によってブラシ部材７の高さが調整される。
【００３２】
導出された塵埃は、出口２１から送風部ケース２８に形成された吸込口３１を介して、送風部ケース２８内部に導入される。送風部ケース２８内部に導入された塵埃は、図１および図２における時計方向へ、油圧モータにより送風部２７を回転させることで、板片３０によりケース２８内に塵埃を吸い上げる気流を発生させることができ、これにより、送風部ケース２８に形成された吐出口３２を介して外部へ導出される。導出された塵埃は、吐出口３２を介して送風部ケース２８と互いに連通される、荷台に設けられている中空状のタンク３６内に収容される。タンク３６には、内部に収容された塵埃を取り出すための扉３６ａが設けられている。
【００３３】
被清掃体である人工芝生５には、クッションの役割を果たすゴムチップが撒かれている。本実施例の人工芝生清掃車１によれば、ブラシケース８の壁面に、ブラシケース８内に外気を取り込むための取込穴が形成されていないため、ブラシ部材７の回転時においてブラシケース８内の静圧を増加させることができる。従って、比較的重量の軽い芝カスなどの塵埃は、送風部ケース２８内に送り込まれるが、塵埃よりも重く、比較的重量の重いゴムチップは、舞い上がることがない。すなわち、本実施例の人工芝生清掃車１によれば、人工芝生５に必要なゴムチップを回収することなく、塵埃を回収して清掃することができる。
【００３４】
また、本実施例の人工芝生清掃車１によれば、ブラシケース８の壁面に、下方へ突出するようにカバー部材２４が設けられるため、ブラシケース８と人工芝生５との間の隙間を小さくすることができる。これにより、ブラシ部材７の回転時に、ブラシケース８と人工芝生５との間の隙間を介して、ケース８内に導入される外気を減少させることができ、ケース８内の静圧を増加させることができる。従って、より確実に、ゴムチップを回収することなく塵埃を回収することができる。さらに、本実施例の人工芝生清掃車１によれば、従来と比較して、ブラシケース８の出口２１が幅広に形成されているため、ブラシ部材７の回転時において、ケース８内の静圧を増加させることができる。従って、ゴムチップを回収することなく塵埃の回収を、さらに確実に行うことができる。
【００３５】
本実施例の人工芝生清掃車１によれば、送風部ケース２８の壁面に、ケース２８内に外気を取り込むための取込穴３３が形成されているため、送風部２７の回転時においてケース２８内の動圧を増加させることができる。従って、風量を多くすることができ、ブラシケース８からの塵埃を吸い込んで、確実にタンク３６に送ることができる。
【００３６】
また、本実施例の人工芝生清掃車１によれば、ブラシ部材７が板状の羽根１２を有しているため、ブラシ部材７の回転時において風量を増加させることができる。従って、人工芝生５上の塵埃をより確実に舞い上げることができ、塵埃の回収率を向上させることができる。また、本実施例の人工芝生清掃車１によれば、羽根１２は、ブラシ１１に対して、ブラシ部材７の回転方向の前側に配置され、ブラシ１１は、羽根１２よりも外方へ延出している。従って、ブラシ１１にて塵埃を掻き出す際に、羽根１２が邪魔になることがなく、羽根１２にて塵埃をより確実に舞い上がらせることができる。また、第２板部１８がブラシ部材７の回転方向の前側に傾斜していることで、塵埃をさらに確実に舞い上がらせることができる。さらに、本実施例の人工芝生清掃車１によれば、カバー部材２４がゴム製とされているため、清掃時にカバー部材２４が人工芝生５に接触した場合に、人工芝生５を傷付けるおそれがない。また、人工芝生５面に凹凸があっても、カバー部材２４で緩衝でき、ブラシケース８の破損を防止できる。
【００３７】
本発明の人工芝生清掃車は、前記実施例の構成に限らず適宜に変更可能である。たとえば、前記実施例では、ブラシケース８と送風部ケース２８とを別体に形成したが、両者を一体形成してもよい。また、前記実施例では、ブラシケース８および送風部ケース２８は、下方へ開口した矩形ボックス状に形成されたが、これに限定されるものではなく、その形状は適宜に変更可能である。また、ブラシ部材７や送風部２７の構成は、ブラシ部材７の場合には塵埃を掻き上げることができる構成であればよく、送風部２７の場合には塵埃を吸い上げて吐出できる構成であればよく、それらの構成は適宜に変更可能である。また、前記実施例では、羽根１２は、縦断面略柄杓形状とされたが、これに限定されるものではなく、適宜変更可能である。この際、羽根１２は、ブラシ１１に対して、ブラシ部材７の回転方向の前側に配置される。また、ブラシ１１は、羽根１２よりも外方へ延出される。さらに、取込穴３３の数や形状は、適宜変更可能である。
【符号の説明】
【００３８】
１  人工芝生清掃車
２  車輌本体
５  人工芝生（被清掃体）
７  ブラシ部材
８  ブラシケース
１０  軸部材
１１  ブラシ
１２  羽根
２０  入口
２１  出口
２４  カバー部材
２７  送風部
２８  送風部ケース
３１  吸込口
３２  吐出口
３３  取込穴
【要約】
【課題】簡易な構成で、人工芝生においてクッションの役割を果たすゴムチップを回収することなく、人工芝生上の塵埃だけを集めて清掃できる人工芝生清掃車の提供。
【解決手段】人工芝生清掃車１は、人工芝生５上の塵埃を掻き上げるブラシ部材７と、ブラシ部材７が回転可能に保持されるブラシケース８と、掻き上げられた塵埃を吸い上げる気流を発生させる送風部２７と、送風部２７が回転可能に保持される送風部ケース２８とを備える。ブラシケース８は、ブラシ部材７を覆う中空状で、掻き上げられた塵埃を内部へ導入する入口２０と、塵埃を外部へ導出する出口２１とを有する。送風部ケース２８は、送風部２７を覆う中空状で、ケース８出口２１からの塵埃を内部へ導入する吸込口３１と、塵埃を外部へ導出する吐出口３２とを有する。送風部ケース２８には、外気の取込穴３３が形成されるが、ブラシケース８には、その取込穴が形成されない。
【選択図】図１【図１】
0005879657.tif 000002
【図２】
0005879657.tif 000003
【図３】
0005879657.tif 000004